【事件の表示】
　平成１０年特許願第２３４６０７号「エンタテインメントシステム及びデータ供給方法、ビデオゲーム機、並びにデータ記憶制御装置及び方法」拒絶査定不服審判事件〔平成１２年　３月　３日出願公開、特開２０００−　６６９８５〕について、次のとおり審決する。
【結　論】
　本件審判の請求は、成り立たない。
【理　由】
１．手続の経緯、本願発明
　本願は、平成１０年８月２０日の出願であって、平成１６年４月２日付けで拒絶査定がなされ、これに対し、同年５月６日に拒絶査定不服審判が請求されたものである。
　特許請求の範囲の請求項１０に係る発明（以下、「本願発明」という。）は、平成１６年２月１６日付けの手続補正により補正された明細書及び図面の記載からみて、その特許請求の範囲の請求項１０に記載された次の事項により特定されるものと認める。
　「【請求項１０】
　　プログラムデータの実行機能を有するビデオゲーム機であって、
　外部に備えられる機能拡張機器が接続される第１の接続手段と、
　上記ビデオゲーム機で使用するデータが記録される二次記憶装置が着脱自在に接続される第２の接続手段と、
　上記機能拡張機器を制御する制御プログラムを含むデータを供給するためのデータ供給手段と、
　上記データ供給手段により供給される上記制御プログラムを含むデータを、上記二次記憶装置に転送して保持させる制御手段と、
　データが記憶される主記憶手段とを備えることを特徴とするビデオゲーム機。」
　
　
２．刊行物
　原査定の拒絶の理由に引用された特開平９−２４４９８５号公報（以下、「刊行物１」という。）には、以下の記載が認められる。
　「【０００６】
【発明の実施の形態】以下、本発明の実施の形態を図面を参照しつつ詳細に説明する。図１は本発明が適用されるコンピュータ装置の概略構成図である。図１において、ＣＰＵ（中央処理装置）１は、ＲＡＭ（ランダムアクセス・メモリ）２またはＲＯＭ（リードオンリー・メモリ）３に格納された制御プログラム（ソフトウェア）に従って処理動作を行い、コンピュータ装置全体の処理動作を制御する。例えば、電源投入時にＲＯＭ３に格納されている制御プログラムに従って処理動作を実行し、これによってハードディスク制御部４を介して、該ハードディスク中の初期化コマンド・ファイルを読み込む。さらに、読み込んだコマンド・ファイルを実行することにより、ハードディスク中の制御プログラムをＲＡＭ２中に読み込み、その読み込んだ制御プログラムに従って各種の処理動作を実行する。ＣＲＴ／ＫＢ制御部５は、コンピュータ装置に接続されたディスプレイ装置、キーボード装置等を制御するもので、これはＲＡＭ２中に読み込んだ制御プログラムに従って制御される。ネットワーク制御部６は、ネットワークへのデータの送受信を行うもので、これもＲＡＭ２中に読み込んだ制御プログラムに従って制御される。プリンタ・インタフェース制御部７は、外部装置であるプリンタ装置へのデータの出力を行うもので、これもＲＡＭ２中に読み込んだ制御プログラムに従って制御される。
【０００７】続いて、外部装置の動作を制御するための制御プログラムの入力処理について説明する。この制御プログラムの入力処理は、ＣＰＵ１によって行われるものであり、その入力処理のための機能ブロック図を図２に示す。図２において、格納場所入力手段１１は、外部装置の動作を制御するための制御プログラムが格納されているネットワーク上の格納場所を示す格納場所情報を入力するものである。制御プログラム入力手段１２は、上述した格納場所入力手段１１によって入力された格納場所情報が示す格納場所から制御プログラムを入力するものである。制御プログラム組み込み手段１３は、上述した制御プログラム入力手段１２によって入力された制御プログラムをＲＡＭ２の中に組み込み、制御プログラム入力手段１２によって入力された制御プログラムを利用可能な状態とするものである。制御プログラム管理手段１４は、上述した格納場所入力手段１１、制御プログラム入力手段１２および制御プログラム組み込み手段１３を実際に動作させて、外部装置の動作制御用の制御プログラムを管理するものである。なお、接続認識手段１５、エラー認識手段１６および判断手段１７は、本発明に係わるコンピュータ装置の付加的な構成要件であり、これらの内容については後段で詳しく説明する。
【０００８】ここで、第１の実施形態として適用したシステム構成を図３に示す。図３においては、本発明に係わるコンピュータ装置１００に対して、外部装置となるプリンタ装置１０１が接続されている。また、コンピュータ装置１００とサーバ装置１０２とは、ネットワーク１０３を介して互いに通信可能となっている。このとき、コンピュータ装置１００の磁気ディスク１０４に格納されている環境定義ファイル１０５中に、プリンタ装置１０１の動作を制御するためのプリンタ・ドライバ（制御プログラム）の格納場所情報が定義され、かつサーバ装置１０２の磁気ディスク１０６のファイル１０７中に、プリンタ装置１０１に適合するプリンタ・ドライバが格納されてものとする。
【０００９】そうした場合、ＣＰＵ１によって構成される各機能的手段１１〜１４は、図４に示すフローチャートにしたがって制御プログラム（プリンタ・ドライバ）の入力処理を行う。すなわち、制御プログラム管理手段１４は格納場所入力手段１１を起動し、これによって格納場所入力手段１１が、コンピュータ装置１００内の磁気ディスク１０４に格納された環境定義ファイル１０５の中から、プリンタ・ドライバの格納場所情報を取得する（ステップＳ１１）。
【００１０】ここで“プリンタ・ドライバの格納場所情報”とは、外部装置（図例ではプリンタ装置１０１）の動作を制御するためのプリンタ・ドライバ（制御プログラム）が格納されているネットワーク上の格納場所を示すもので、その具体例として、環境定義ファイル１０５中に定義されている格納場所情報を図５に示す。図５に示す格納場所情報においては、“123.456.789.555 ”の文字列がサーバ装置１０２のネットワーク１０３上のアドレスを示し、“/usr/share/drv”の文字列がサーバ装置１０２の磁気ディスク１０６中のプリンタ・ドライバが格納されているディレクトリを示し、“prnxxx.drv”の文字列がプリンタ・ドライバのファイル名を示している。なお、格納場所情報としては、インターネットのＵＲＬ（ユーザ要求言語）のようにファイル転送プロトコル（ＦＴＰ）を含んだものであってもよい。
【００１１】次に、制御プログラム管理手段１４は制御プログラム入力手段１２を起動し、これによって制御プログラム入力手段１２が、先に取得した格納場所情報が示すネットワーク上の格納場所、すなわちサーバ装置１０２の磁気ディスク１０６の中から、プリンタ装置１０１に適合したプリンタ・ドライバのファイルを読み出す（Ｓ１２）。さらに、制御プログラム管理手段１４は、サーバ装置１０２から読み出したプリンタ・ドライバのファイルをコンピュータ装置１００内の磁気ディスク１０４に格納したのち、制御プログラム組み込み手段１３を起動してＯＳ（オペレーディング・システム）にプリンタ・ドライバを組み込み、これを利用（実行）可能な状態とする（Ｓ１３）。」
　
　以上の記載から、刊行物１には、次の発明（以下「引用例１発明」という。）が記載されているものと認める。
　
（ａ）　コンピュータ装置であって、ＣＰＵ（中央処理装置）１は、ＲＡＭ（ランダムアクセス・メモリ）２またはＲＯＭ（リードオンリー・メモリ）３に格納された制御プログラム（ソフトウェア）に従って処理動作を行い、コンピュータ装置全体の処理動作を制御し、
（ｂ）　電源投入時にＲＯＭ３に格納されている制御プログラムに従って処理動作を実行し、これによってハードディスク制御部４を介して、該ハードディスク中の初期化コマンド・ファイルを読み込み、さらに、読み込んだコマンド・ファイルを実行することにより、ハードディスク中の制御プログラムをＲＡＭ２中に読み込み、その読み込んだ制御プログラムに従って各種の処理動作を実行し、
（ｃ）　この制御プログラムの入力処理は、ＣＰＵ１によって行われるものであり、格納場所入力手段１１は、外部装置の動作を制御するための制御プログラムが格納されているネットワーク上の格納場所を示す格納場所情報を入力するものであり、制御プログラム入力手段１２は、上述した格納場所入力手段１１によって入力された格納場所情報が示す格納場所から制御プログラムを入力するものであり、制御プログラム組み込み手段１３は、上述した制御プログラム入力手段１２によって入力された制御プログラムをＲＡＭ２の中に組み込み、制御プログラム入力手段１２によって入力された制御プログラムを利用可能な状態とするものであり、制御プログラム管理手段１４は、上述した格納場所入力手段１１、制御プログラム入力手段１２および制御プログラム組み込み手段１３を実際に動作させて、外部装置の動作制御用の制御プログラムを管理するものであり、
（ｄ）　コンピュータ装置１００に対して、外部装置となるプリンタ装置１０１が接続され、コンピュータ装置１００とサーバ装置１０２とは、ネットワーク１０３を介して互いに通信可能となっており、このとき、コンピュータ装置１００の磁気ディスク１０４に格納されている環境定義ファイル１０５中に、プリンタ装置１０１の動作を制御するためのプリンタ・ドライバ（制御プログラム）の格納場所情報が定義され、かつサーバ装置１０２の磁気ディスク１０６のファイル１０７中に、プリンタ装置１０１に適合するプリンタ・ドライバが格納されており、
（ｅ）　ＣＰＵ１によって構成される各機能的手段１１〜１４は、制御プログラム（プリンタ・ドライバ）の入力処理を行い、すなわち、制御プログラム管理手段１４は格納場所入力手段１１を起動し、これによって格納場所入力手段１１が、コンピュータ装置１００内の磁気ディスク１０４に格納された環境定義ファイル１０５の中から、プリンタ・ドライバの格納場所情報を取得し、
（ｆ）　ここで“プリンタ・ドライバの格納場所情報”とは、外部装置（プリンタ装置１０１）の動作を制御するためのプリンタ・ドライバ（制御プログラム）が格納されているネットワーク上の格納場所を示すものであり、
（ｇ）　制御プログラム管理手段１４は制御プログラム入力手段１２を起動し、これによって制御プログラム入力手段１２が、先に取得した格納場所情報が示すネットワーク上の格納場所、すなわちサーバ装置１０２の磁気ディスク１０６の中から、プリンタ装置１０１に適合したプリンタ・ドライバのファイルを読み出し、さらに、制御プログラム管理手段１４は、サーバ装置１０２から読み出したプリンタ・ドライバのファイルをコンピュータ装置１００内の磁気ディスク１０４に格納したのち、制御プログラム組み込み手段１３を起動してＯＳ（オペレーディング・システム）にプリンタ・ドライバを組み込み、これを利用（実行）可能な状態とする、コンピュータ装置。
　
　拒絶の査定で周知例として引用された特開平８−１６１１２０号公報（以下、「刊行物２」という。）には、図面とともに次の事項が記載されている。
　「【００３８】この家庭用ゲーム機は、バス３１に、ＣＰＵ１１及び周辺デバイス１２等から構成されるメインシステム、グラフィックスシステム、サウンドシステム、ＣＤ−ＲＯＭシステム、及び通信システム内の各種の機能を実現するための複数のプロセッサ及びデバイスが接続されることにより構成されている。上記メインシステムの基本部分となる上記ＣＰＵ１１は、３２ビットのＲＩＳＣ(Reduced Instruction Set Computer)  ＣＰＵであり、周辺デバイス１２は、ＤＭＡ、タイマ、割り込み等の複数の制御用コントローラから構成されるものである。また、２ＭＢｙｔｅｓのメインメモリ１３、５１２ＫＢｙｔｅｓのメモリ容量をもち、上記ＣＰＵ１１や周辺デバイス１２等の動作を制御してこの家庭用ゲーム機を制御するためのオペレーティングシステム（ＯＳ）プログラムが格納されているＲＯＭ１４、パラレル通信の入出力（Ｉ／Ｏ）部であるＰＩＯ２９、及びシリアル通信の入出力（Ｉ／Ｏ）部であるＳＩＯ３０が、それぞれバス３１に接続されている。
【００３９】この家庭用ゲーム機に電源が投入されたときには、上記ＣＰＵ１１によってＲＯＭ１４内のＯＳが実行されて装置全体の初期化が行われ、上記ＣＰＵ１１からの制御命令により、ＣＤ−ＲＯＭシステムのＣＤ−ＲＯＭドライブ２５に搭載されたＣＤ−ＲＯＭからアプリケーションプログラム即ちゲームプログラムや画像及び音声データが読み出される。」
　「【００５１】また、通信システムとして、入力デバイスいわゆる入力パッドであるコントローラ２７、１ＭＢｙｔｅｓのメモリカード２８、及び同期シリアルポートである通信デバイス２６により構成されている。上記コントローラ２７は、ゲームの進行及びゲーム内において画像表示される物体の動作等を制御するための指示を入力するためのキーを有する。このコントローラ２７から入力された操作情報は、通信デバイス２６に送られる。この通信デバイス２６に送られた情報は、上記ＣＰＵ１１によって約１／６０秒毎に読み出される。上記ＣＰＵ１１は、この情報に基づいて、周辺デバイス１２やメインメモリ１３、及びグラフィックスシステム、サウンドシステム、ＣＤ−ＲＯＭシステムのそれぞれの動作を制御する制御命令を送信することにより、各システムの動作が制御され、上記入力された操作情報に応じた画像が表示され、音声が出力する。
【００５２】また、上記メモリカード２８は、例えばフラッシュメモリ等の不揮発性のメモリから成り、複数のゲームの設定及び進行途中の状態や結果を格納し、保持するために用いられる。また、バス３１から分離されているので、電源を入れた状態で着脱することが可能であり、この家庭用ゲーム機の動作中に複数のメモリカード２８を着脱させてデータを記憶させることができる。」
　
　また、当審において周知例として引用する特開平１０−１１３４７３号公報（以下、「刊行物３」という。）には、図面とともに次の事項が記載されている。
　「【００１８】即ち、この画像処理システムは、中央演算処理装置（ＣＰＵ５１）及びその周辺装置（周辺デバイスコントローラ５２）からなる制御系５０と、フレームバッファ６３上に描画を行うグラフィックスプロセッシングユニット（ＧＰＵ６２）等からなるグラフィックシステム６０と、楽音、効果音等を発生するサウンドプロセッシングユニット（ＳＰＵ７１）等からなるサウンドシステム７０と、補助記憶装置である光学ディスク（ＣＤ−ＲＯＭのディスク）ドライブ８１の制御や再生情報のでコード等の指示を行う光学ディスク制御部８０と、使用者からの指示を入力するコントローラ９２からの指示入力及びゲームの設定等を記憶する補助メモリ（メモリカード９３）からの入出力を制御する通信制御部９０と、上記制御系５０から通信制御部９０までが接続されているメインバスＢ等を備えている。」
　「【００３８】また、ＣＰＵ５１は、実行しているゲームの設定やゲームの終了時或いは途中の結果等を記憶する必要があるときに、該記憶するデータを通信制御デバイス９１に送信し、通信制御デバイス９１は当該ＣＰＵ５１からのデータをメモリカード９３に記憶する。このメモリカード９３は、メインバスＢから分離されているため、電源を入れた状態で着脱することが可能となっている。これにより、ゲームの設定等を複数のメモリカード９３に記憶することができるようになっている。」
　
３．対比
　そこで、本願発明と刊行物１発明とを比較すると、刊行物１発明の「コンピュータ装置１００」は、「ＣＰＵ（中央処理装置）１は、ＲＡＭ（ランダムアクセス・メモリ）２またはＲＯＭ（リードオンリー・メモリ）３に格納された制御プログラム（ソフトウェア）に従って処理動作を行い、コンピュータ装置全体の処理動作を制御」しているから、本願発明の「ビデオゲーム機」とは、「プログラムデータの実行機能を有する情報処理装置」である点で一致する。
　また、刊行物１発明の「プリンタ装置１０１」は、本願発明の「機能拡張機器」に相当し、さらに刊行物１発明では、「コンピュータ装置１００に対して、外部装置となるプリンタ装置１０１が接続され」ているから、本願発明の「外部に備えられる機能拡張機器が接続される」に相当し、「第１の接続手段」を備えることも明らかである。
　また、刊行物１発明の「コンピュータ装置１００内の磁気ディスク１０４」は、上記（ｇ）によれば、プリンタ・ドライバのファイルを格納し、「制御プログラム組み込み手段１３を起動してＯＳ（オペレーディング・システム）にプリンタ・ドライバを組み込み、これを利用（実行）可能な状態とする」から、本願発明の「情報処理装置で使用するデータが記録される二次記憶装置が接続され」に相当する。
　また、上記（ｅ）、（ｆ）、（ｇ）によれば、刊行物１発明では、コンピュータ装置１００の磁気ディスク１０４に格納されている環境定義ファイル１０５中に、プリンタ装置１０１の動作を制御するためのプリンタ・ドライバ（制御プログラム）の格納場所情報が定義され、かつサーバ装置１０２の磁気ディスク１０６のファイル１０７中に、プリンタ装置１０１に適合するプリンタ・ドライバが格納されており、ＣＰＵ１によって構成される各機能的手段１１〜１４は、制御プログラム（プリンタ・ドライバ）の入力処理を行って、ネットワーク上の格納場所、すなわちサーバ装置１０２の磁気ディスク１０６の中から、プリンタ装置１０１に適合したプリンタ・ドライバのファイルを読み出し、コンピュータ装置１００内の磁気ディスク１０４に格納し、ＯＳ（オペレーディング・システム）にプリンタ・ドライバを組み込み、これを利用（実行）可能な状態とするから、刊行物１発明の「プリンタ装置１０１の動作を制御するためのプリンタ・ドライバ（制御プログラム）」は、本願発明の「機能拡張機器を制御する制御プログラムを含むデータ」に相当し、刊行物１発明の「サーバ装置１０２の磁気ディスク１０６」は、本願発明の「機能拡張機器を制御する制御プログラムを含むデータを供給するためのデータ供給手段」に相当する。さらに、刊行物１発明では、「プリンタ装置１０１の動作を制御するためのプリンタ・ドライバ（制御プログラム）」は、サーバ装置１０２の磁気ディスク１０６から読み出され、コンピュータ装置１００内の磁気ディスク１０４に格納されるから、本願発明の「データ供給手段により供給される上記制御プログラムを含むデータを、上記二次記憶装置に転送して保持させる制御手段」を有することは明らかである。
　また、上記（ｂ）によれば、刊行物１発明では、「ハードディスク中の制御プログラムをＲＡＭ２中に読み込み、その読み込んだ制御プログラムに従って各種の処理動作を実行」するから、刊行物１発明の「ＲＡＭ２」は、本願発明の「データが記憶される主記憶手段」に相当する。
　
　したがって、両者は、
　「プログラムデータの実行機能を有する情報処理装置であって、
　外部に備えられる機能拡張機器が接続される第１の接続手段と、
　上記情報処理装置で使用するデータが記録される二次記憶装置が接続され、
　上記機能拡張機器を制御する制御プログラムを含むデータを供給するためのデータ供給手段と、
　上記データ供給手段により供給される上記制御プログラムを含むデータを、上記二次記憶装置に転送して保持させる制御手段と、
　データが記憶される主記憶手段とを備えることを特徴とする情報処理装置。」
である点で一致し、以下の点で相違している。
　
［相違点１］
　上記「情報処理装置」が、本願発明では「ビデオゲーム機」であるのに対して、刊行物１発明では「コンピュータ装置」である点。
　
［相違点２］
　上記「二次記憶装置」の接続が、本願発明では「着脱自在」であるのに対して、刊行物１発明では着脱自在とはなっていない点。
　
　
４．判断
［相違点１，２］について
　情報処理装置の一つとしてビデオゲーム機は一般に普及したものであって、また、そのようなビデオゲーム機において、各種機能拡張機器を接続でき、各種データを供給する手段や主記憶手段を備えるとともに、ビデオゲーム機で使用するデータが記録される（メモリカード２８などの）二次記憶装置を着脱自在に接続することは周知（例えば、上記刊行物２，３等参照。）である。
　そうすると、刊行物１発明の「情報処理装置」を「ビデオゲーム機」と特定するとともに、上記周知技術を用いて、「二次記憶装置」の接続を「着脱自在」とすることは、当業者が容易に想到し得たことである。
　
　したがって、本願発明の作用効果も、刊行物１発明及び周知技術から当業者が予測できる範囲のものであり、刊行物１発明と周知技術を組み合わせたことによる格別の効果を有するとは認められない。
　
　
５．むすび
　したがって、本願発明は、刊行物１発明及び周知技術に基づいて、当業者が容易に発明をすることができたものであるから、特許法第２９条第２項の規定により特許出願の際独立して特許を受けることができないものである。
　
　よって、結論のとおり審決する。